(57)【特許請求の範囲】
【請求項１】
複数本のシールド電線を並列してなるフラットケーブルの端末に接続して用いられるコネクタであって、
回路基板に配されるハウジング内には、前記各シールド電線の芯線と個別に接続可能な端子金具が並んで装着されて前記回路基板上の導電路と接続されるとともに、前記ハウジングを覆うようにして前記各シールド電線のシールド層にわたって接続可能なシールドシェルが設けられたものにおいて、
前記シールドシェルにおける前記端子金具の前記導電路との接続端が引き出された側の面に、前記回路基板上のアース回路と接続される接続部が設けられ、かつこの接続部は、前記端子金具の前記導電路との接続端と横並びの位置で、前記接続端の延出方向と同方向に延出していることを特徴とするフラットケーブル用コネクタ。
【請求項２】
前記接続部が前記シールドシェルと一体に形成されていることを特徴とする請求項１記載のフラットケーブル用コネクタ。
【請求項３】
前記シールドシェルにおける前記端子金具の前記導電路との接続端が引き出された側と隣接する面に、前記回路基板上の前記アース回路と接続される別の接続部が設けられていることを特徴とする請求項１または請求項２記載のフラットケーブル用コネクタ。
【発明の詳細な説明】
【０００１】
【発明の属する技術分野】
本発明は、複数本のシールド電線を並列してなるフラットケーブルの端末に接続して用いられるコネクタに関する。
【０００２】
【従来の技術】
従来この種のフラットケーブル用コネクタとして、次のようなものが知られている。これは、回路基板に取り付けられるハウジングを有し、このハウジング内には、フラットケーブルを構成する各シールド電線の芯線と個別に接続可能な端子金具が並んで装着されて回路基板上の導電路と接続されるとともに、ハウジングを覆うようにして各シールド電線のシールド層にわたって接続可能なシールドシェルが設けられ、このシールドシェルにおける端子金具の並列方向の両側の面に突設された接続部が回路基板上のアース回路と接続されている。
【０００３】
そして係るコネクタにフラットケーブルの端末が接続されると、各シールド電線の芯線と回路基板上の対応する導電路にわたって個別の信号線が形成されるとともに、シールドシェルを介して各シールド電線から共通のアースが取られ、併せてシールドシェルにより放射ノイズを除去する等のシールド効果が得られるようになっている。
なおこのようなコネクタは、例えば特開平１０−２５５９２１号公報に記載されている。
【０００４】
【発明が解決しようとする課題】
しかるに従来のコネクタでは、使用目的によってはノイズ除去のためのシールド能力が不足する場合があり、さらなる改良が切望されていた。
本発明は上記のような要望に基づいて完成されたものであって、その目的は、簡単な構造でもってシールド能力を高めるところにある。
【０００５】
【課題を解決するための手段】
上記の目的を達成するための手段として、請求項１の発明は、複数本のシールド電線を並列してなるフラットケーブルの端末に接続して用いられるコネクタであって、回路基板に配されるハウジング内には、前記各シールド電線の芯線と個別に接続可能な端子金具が並んで装着されて前記回路基板上の導電路と接続されるとともに、前記ハウジングを覆うようにして前記各シールド電線のシールド層にわたって接続可能なシールドシェルが設けられたものにおいて、前記シールドシェルにおける前記端子金具の前記導電路との接続端が引き出された側の面に、前記回路基板上のアース回路と接続される接続部が設けられ、かつこの接続部は、前記端子金具の前記導電路との接続端と横並びの位置で、前記接続端の延出方向と同方向に延出している構成としたところに特徴を有する。
【０００６】
請求項２の発明は、請求項１に記載のものにおいて、前記接続部が前記シールドシェルと一体に形成されているところに特徴を有する。
請求項３の発明は、請求項１または請求項２に記載のものにおいて、前記シールドシェルにおける前記端子金具の前記導電路との接続端が引き出された側と隣接する面に、前記回路基板上の前記アース回路と接続される別の接続部が設けられているところに特徴を有する。
【０００７】
【発明の作用及び効果】
＜請求項１の発明＞
シールドシェルを回路基板のアース回路に接続するに当たり、端子金具の導電路との接続端側が引き出された面に接続部を設けて、この接続部をアース回路と接続したところ、従来の端子金具の並列方向の両側にアース回路との接続部が設けられていた場合よりも、ノイズ除去能力が向上した。これは、シールド電線からシールドシェルに流れる電流が、信号電流と逆向きにシールドシェルの奥まで流れるようになることで、広範囲にノイズを打ち消すことができるためと考えられる。
【０００８】
＜請求項２の発明＞
シールドシェルの接続部を回路基板のアース回路に接続することを以て、コネクタを回路基板に取り付けることに利用する場合、接続部がシールドシェルと一体であることによって、コネクタの保持力に優れたものとなる。
＜請求項３の発明＞
シールドシェル上をより広範囲に電流が流れることで、ノイズ除去能力がより高められる。また、接続部をアース回路に接続することをコネクタの回路基板への取り付けに利用する場合は、コネクタをバランス良くより安定して取り付けることが可能となる。
【０００９】
【発明の実施の形態】
以下、本発明の実施形態を添付図面に基づいて説明する。
＜第１実施形態＞
本発明の第１実施形態を図１ないし図５によって説明する。
この実施形態では、図１及び図２に示すように、フラットケーブル１０の端末に取り付けられるケーブル側コネクタ２０と、回路基板５０に固定される基板側コネクタ３０（本発明のコネクタに相当する）とを備えている。
フラットケーブル１０は、図３に示すように、複数本のシールド電線１１が並列して配され、図示しないフィルムで覆われて帯状に形成されており、各シールド電線１１のシールド層１２（図２）にわたって短絡体１５が固定されている。また各シールド電線１１の端末からは芯線１３が露出して突出され、所定間隔を開けた並列状に配されている。
【００１０】
ケーブル側コネクタ２０は、図２に示すように、横長の厚板状をなす合成樹脂製のハウジング２１と、その下面側に軸２３を中心に開閉可能に配された同じく合成樹脂製の押さえ板２２とを備えている。ハウジング２１の前端側の下面には、シールド電線１１の芯線１３を嵌めて位置決めする位置決め溝２４が所定のピッチで形成されている。押さえ板２２が閉じられると、各芯線１３が対応する位置決め溝２４内で押さえ板２２との間で挟まれて保持され、かつ芯線１３の基端側が下面に露出されるようになっている。なお、押さえ板２２における先端部の下面には、芯線１３の露出した位置ごとに対応して、基板側コネクタ３０に装着された端子金具３５を導入するための導入溝２５が切られている。
【００１１】
ハウジング２１と押さえ板２２の後端側における幅方向の中央位置には、金属製の上部シェル２６と下部シェル２７とがそれぞれ装着されている。上部シェル２６と下部シェル２７とはともに断面ヘアピン状に形成されており、それぞれの上下両面からは、接触片２６Ａ，２６Ｂと接触片２７Ａ，２７Ｂとが互いに離間する方向に斜めに屈曲されて形成されている。上記のように押さえ板２２が閉じられると、フラットケーブル１０の短絡体１５が、上部シェル２６と下部シェル２７のそれぞれの内側の接触片２６Ａ，２７Ａによって弾性的に挟まれて保持されるとともに、電気的な接続が取られるようになっている。上部シェル２６の外側の接触片２６Ｂはハウジング２１の上面から、また下部シェル２７の外側の接触片２７Ｂは押さえ板２２の下面からそれぞれ突出するようになっている。
【００１２】
基板側コネクタ３０は、合成樹脂製のハウジング３１と、複数の端子金具３５と、金属板からなるシールドシェル４０とから構成され、回路基板５０の一側縁に切り欠かれた取付凹部５１に嵌められるようにして配設されている。
ハウジング３１の前面には、上記したケーブル側コネクタ２０の前端側が嵌入可能な嵌入溝３２が開口されているとともに、幅方向に沿ってスリット状の取付溝３３が一定ピッチで並列して形成され、各取付溝３３には端子金具３５が圧入されている。端子金具３５は、先端側に二股のアーム部３６Ａ，３６Ｂが所定間隔を開けて形成されているとともに、後端部には回路基板５０への取付部３７が形成されている。
【００１３】
シールドシェル４０は、上記のように金属板を曲げ加工することで形成されており、上面板４１と下面板４２、上面板４１の後端側の左右の側縁から直角曲げされた側面板４３、及び上面板４１と下面板４２の左右の側縁同士を連結した小幅の連結板４４とを有し、略々前後両面に開口した扁平な箱形に形成されている。このシールドシェル４０がハウジング３１に被せられることで、ハウジング３１の上下両面とその先の領域が上面板４１と下面板４２で、ハウジング３１の左右の側面が側面板４３で、また、ハウジング３１の後面における端子金具３５の配設領域の両側の部分が左右の連結板４４でそれぞれ覆われるようになっている。なお、上面板４１には、ケーブル側コネクタ２０のハウジング２１における後端側の上面に形成された前後方向のリブ２８を挿入可能とするガイド溝４６が形成されている。
そして、シールドシェル４０の両連結板４４からは、それぞれ幅方向の内側における下端部寄りの位置に、接続片４８が外方に直角曲げされて形成されている。両接続片４８は、回路基板５０上のアース回路と接続されるものであって、端子金具３５の取付部３７と同じ高さ位置に形成されている。
【００１４】
続いて、本実施形態の作用を説明する。ケーブル側コネクタ２０では、ハウジング２１と開放された押さえ板２２との間にフラットケーブル１０の端末が挿入され、押さえ板２２を閉じることで、既述したように、各シールド電線１１の芯線１３が対応する位置決め溝２４内で位置決めされて挟持され、それぞれ基端側の部分が下面に露出する。それとともに、短絡体１５が上下のシェル２６，２７で弾性的に挟持され、かつ電気的に接続される。
【００１５】
一方、基板側コネクタ３０では、ハウジング３１の取付溝３３にそれぞれ端子金具３５が装着されるとともに、ハウジング３１の回りにシールドシェル４０が被せられる。このような基板側コネクタ３０が回路基板５０の取付凹部５１に嵌められ、各端子金具３５の取付部３７が、回路基板５０上に形成された対応する導電路とはんだ付けにより固定かつ接続される。また、シールドシェル４０の両連結板４４から突設された接続片４８が、同じく回路基板５０上に形成されたアース回路に固定かつ接続される。
【００１６】
そして、図２の矢線に示すように、ケーブル側コネクタ２０が基板側コネクタ３０に対して嵌合される。途中からはリブ２８がガイド溝４６に嵌まって案内されつつ真直に押し込まれ、ケーブル側コネクタ２０の前端側が各端子金具３５の上下のアーム部３６Ａ，３６Ｂを開きながらその間に挿入される。図５に示すように、嵌入溝３２の奥端に当たったところで押し込みが停止され、このとき各端子金具３５の下側のアーム部３６Ｂが対応するシールド電線１１の芯線１３に弾性的に押し付けられて接触が取られる。また、ケーブル側コネクタ２０における上下のシェル２６，２７の外側の接触片２６Ｂ，２７Ｂが、基板側コネクタ３０のシールドシェル４０の上面板４１と下面板４２とにそれぞれ弾性的に接触される。
【００１７】
これにより、フラットケーブル１０を構成する各シールド電線１１の芯線１３と回路基板５０上の対応する導電路にわたって個別の信号線が形成されるとともに、短絡体１５からシェル２６，２７及びシールドシェル４０を介して各シールド電線１１から共通のアースが取られ、併せてシールドシェル４０により放射ノイズを除去する等のシールド効果が得られることになる。
【００１８】
本実施形態では、シールドシェル４０を回路基板５０のアース回路に接続するに当たり、端子金具３５の取付部３７が引き出された後面の両端部に接続片４８を設けて、この接続片４８をアース回路と接続した構造しており、このような構造とした場合、例えば図１０に示す比較例のように、従来と同じく、シールドシェル１００における左右の側面に接続片１０１を設けてこれを回路基板５０上のアース回路と接続した場合と比較すると、ノイズ除去能力（シールド性能）が３dB程度向上したことが実験により確認されている。
これは、シールド電線１１からシールドシェル４０に流れる電流（図１に破線で示す）が、信号電流（同図の実線）と逆向きにシールドシェル４０の奥まで流れるようになることで、広範囲にノイズを打ち消すことができるためと考えられる。
【００１９】
＜第２実施形態＞
図６及び図７は本発明の第２実施形態を示す。この第２実施形態では、シールドシェル４０Ａに設けられるアース接続用の接続片が、第１実施形態に示された両連結板４４から突設された接続片４８に加えて、左右の側面板４３の下縁から別の接続片６０が外方に直角曲げされて形成され、同様に回路基板５０上に形成されたアース回路にはんだ付けにより固定かつ接続される。
その他の構造については前記第１実施形態と同様であって、同一機能を有する部位については同一符号を付すことで重複した説明は省略する。
【００２０】
この第２実施形態では、シールドシェル４０Ａ上を奥縁まで、また側縁に向けてとより広範囲に電流が流れることで、ノイズ除去能力がより高められる。前記した図１０の比較例と比べると、ノイズ除去能力が４〜１０dB向上したことが確認された。
また、ハウジング３１に被せられたシールドシェル４０Ａの接続片が回路基板５０のアース回路にはんだ付けされるのであるから、基板側コネクタ３０を回路基板５０に取り付けることに併せて機能するのであるが、各接続片４８，６０はシールドシェル４０Ａと一体的に形成され、また４周面のうちの３面に配されているから、基板側コネクタ３０が回路基板５０に対して強固にかつバランス良く安定して取り付けられる。
【００２１】
＜第３実施形態＞
図８及び図９は本発明の第３実施形態を示す。この第３実施形態では、前記第２実施形態からさらに別の接続片が設けられている。
すなわち、シールドシェル４０Ｂにおける上面板４１から折曲された左右の側面板４３のうちの、接続片６０の形成位置よりも後端側の下端が切除される一方、下面板４２における左右の側縁の後端部から背の低い側面板６２が立ち上げられ、その上縁が外方に直角曲げされることで、接続片６０と同一高さで別の接続片６３が設けられている。この接続片６３が、後面の接続片４８と側面の接続片６０に加えて回路基板５０上のアース回路にはんだ付けにより固定かつ接続されている。
【００２２】
この第３実施形態では、シールドシェル４０Ｂ上をさらに広範囲に電流が流れることで、ノイズ除去能力がさらに高められる。前記した図１０の比較例と比べると、ノイズ除去能力が５〜１５dB向上したことが確認された。
また、基板側コネクタ３０を回路基板５０に取り付ける際の保持力もより強固とすることができる。
【００２３】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記各実施形態では、接続片はシールドシェルと一体的に形成したが、シールドシェルに別体として設けた接続部を取り付け、これを回路基板のアース回路に接続してもよい。
【００２４】
（２）シールドシェルの後面にアース回路との接続部を設けるに当たり、幅方向の中央部に設けるようにしてもよい。この位置に接続部を設けると、シールドシェルにおけるケーブル側コネクタのシェルとの接点からの直線距離が短くなるから、ノイズ除去により有効となる。また、シールドシェルの後面の全面にわたって接続部を設けるようにしてもよい。
（３）また本発明は、フラットケーブルの端末をケーブル側コネクタを介することなく直接に基板側コネクタに接続するタイプのものにも同様に適用することができる。
【図面の簡単な説明】
【図１】本発明の第１実施形態に係るコネクタの嵌合前の斜視図
【図２】その縦断面図
【図３】フラットケーブルの斜視図
【図４】基板側コネクタの側面図
【図５】コネクタの嵌合完了時の縦断面図
【図６】第２実施形態の基板側コネクタを回路基板に取り付けた状態の斜視図
【図７】基板側コネクタの側面図
【図８】第３実施形態の基板側コネクタを回路基板に取り付けた状態の斜視図
【図９】基板側コネクタの側面図
【図１０】比較例の基板側コネクタを回路基板に取り付けた状態の斜視図
【符号の説明】
１０…フラットケーブル
１１…シールド電線
１２…シールド層
１３…芯線
１５…短絡体
２０…ケーブル側コネクタ
３０…基板側コネクタ（コネクタ）
３１…ハウジング
３５…端子金具
３７…取付部
４０…シールドシェル
４１…上面板
４２…下面板
４３…側面板
４４…連結板
４８…接続片（接続部）
５０…回路基板
４０Ａ…シールドシェル
６０…接続片（接続部）
４０Ｂ…シールドシェル
６３…接続片（接続部）
【図１】
0003685320.tif 000002
【図２】
0003685320.tif 000003
【図３】
0003685320.tif 000004
【図４】
0003685320.tif 000005
【図５】
0003685320.tif 000006
【図６】
0003685320.tif 000007
【図７】
0003685320.tif 000008
【図８】
0003685320.tif 000009
【図９】
0003685320.tif 000010
【図１０】
0003685320.tif 000011